(57)【要約】      （修正有）【課題】データ漏れを防ぐための記憶装置及び操作方法を提供する。【解決手段】記憶装置１の操作方法は、所定の通信ネットワーク１６を経由して電子装置１７から受信した入力パスワードデータに基づいてユーザ入力パスワードを取得することと、ユーザ入力パスワードが記憶装置１に予め記憶されているアクセスパスワードと一致する際には、検証コード、及び専用通信網１８を経由して記憶装置１にアクセスするために記憶装置１に予め記憶されているログイン情報とを、所定の通信ネットワーク１６を経由して電子装置１７に送信することと、専用通信網１８を経由して電子装置１７から受信したアクセスコードが、検証コードと一致する際には、電子装置１７の専用通信網１８を経由して分類記憶領域１３１へのアクセスを許可することと、を含む。【選択図】図１
2018181349.tif 000002
【特許請求の範囲】
【請求項１】
第１の通信モジュール（１１）と、第２の通信モジュール（１２）と、記憶モジュール（１３）と、処理モジュール（１５）とを備えている記憶装置（１）であって、
前記第１の通信モジュール（１１）は、所定の通信ネットワーク（１６）を経由して電子装置（１７）に通信可能に接続されるよう構成されており、
前記第２の通信モジュール（１２）は、専用通信網（１８）を提供するよう構成されており、
前記記憶モジュール（１３）は、アクセスパスワードと、前記専用通信網（１８）を経由して前記第２の通信モジュール（１２）にアクセスするためのログイン情報を記憶しており、
前記記憶モジュール（１３）は、分類記憶領域（１３１）を具えており、
前記処理モジュール（１５）は、前記第１の通信モジュール（１１）と前記第２の通信モジュール（１２）及び前記記憶モジュール（１３）とに電気的に接続されており、
前記処理モジュール（１５）は、
前記所定の通信ネットワーク（１６）を経由し前記第１の通信モジュール（１１）を介する前記電子装置（１７）からの入力パスワードデータの受信に応じて、該入力パスワードデータに基づいたユーザ入力パスワードを取得し、そして該ユーザ入力パスワードが前記アクセスパスワードと一致するか否かを判定し、
該ユーザ入力パスワードが前記アクセスパスワードと一致すると判定した際には、検証コードを生成して、前記記憶モジュール（１３）に記憶されている前記ログイン情報にアクセスし、そして前記第１の通信モジュール（１１）を制御して、前記所定の通信ネットワーク（１６）を経由し該第１の通信モジュール（１１）を介して、該検証コード及び前記ログイン情報を前記電子装置（１７）に送信することで、前記電子装置（１７）が、前記ログイン情報に基づいて、前記専用通信網（１８）を経由して前記第２の通信モジュール（１２）と通信可能に接続し、
前記専用通信網（１８）を経由し前記第２の通信モジュール（１２）を介した前記電子装置（１７）からのアクセスコードの受信に応じて、該アクセスコードが前記検証コードと一致するか否かを判定し、
該アクセスコードが前記検証コードと一致すると判定した際には、前記電子装置（１７）が、前記専用通信網（１８）を経由し前記第２の通信モジュール（１２）を介して、前記記憶モジュール（１３）の前記分類記憶領域（１３１）にアクセスすることを許可する、
ようにプログラムされている、記憶装置（１）。
【請求項２】
前記処理モジュール（１５）は、
前記所定の通信ネットワーク（１６）を経由し前記第１の通信モジュール（１１）を介して、前記電子装置（１７）から前記分類記憶領域（１３１）にアクセスするためのアクセスリクエストを受信すると、仮想キーボードデータを生成し、そして前記第１の通信モジュール（１１）を制御して、前記所定の通信ネットワーク（１６）を経由し該仮想キーボードデータを前記電子装置（１７）に送信して、前記電子装置（１７）が仮想キーボードを表示することを可能にするよう更にプログラムされており、
該仮想キーボードは、互いに異なる位置に配置されていると共に、複数の文字にそれぞれ対応する複数の仮想キーを具えており、
前記入力バスワードデータは、前記ユーザ入力パスワードを構成する前記文字に対応する一部の前記仮想キーの位置に関する位置データを含み、
前記処理モジュール（１５）は、前記位置データに基づいて前記ユーザ入力パスワードを取得するようにプログラムされている、請求項１に記載の記憶装置（１）。
【請求項３】
前記第１の通信モジュール（１１）は、ブルートゥース通信モジュールであり、
前記第２の通信モジュール（１２）は、Ｗｉ−Ｆｉ通信モジュールである、請求項１または請求項２に記載の記憶装置（１）。
【請求項４】
前記ログイン情報は、サービスセット識別子（ＳＳＩＤ）と、前記第２の通信モジュール（１２）にアクセスするためのログインパスワードとを含む、請求項１〜請求項３のいずれか一項に記載の記憶装置（１）。
【請求項５】
前記検証コードは、ワンタイムパスワード（ＯＴＰ）である、請求項１〜請求項４のいずれか一項に記載の記憶装置（１）。
【請求項６】
前記処理モジュール（１５）に電気的に接続されると共に、ユーザ操作に応じてトリガー信号を該入力モジュール（１４）に出力するように構成されている入力モジュール（１４）を更に備え、
前記処理モジュール（１５）は、前記トリガー信号を受信すると、前記ユーザ入力パスワードが前記アクセスパスワードと一致するか否かを判定するようプログラムされている、請求項１〜請求項５のいずれか一項に記載の記憶装置（１）。
【請求項７】
前記処理モジュール（１５）は、前記記憶装置（１）が最初に起動される際には、デフォルト設定で、前記分類記憶領域（１３１）へのアクセスを禁止するよう更にプログラムされている、請求項１〜請求項６のいずれか一項に記載の記憶装置（１）。
【請求項８】
前記処理モジュール（１５）は、前記分類記憶領域（１３１）が所定の期間にわたってアクセスされていないと判定した際には、該分類記憶領域（１３１）へのアクセスを禁止するよう更にプログラムされている、請求項１〜請求項７のいずれか一項に記載の記憶装置（１）。
【請求項９】
記憶装置（１）の操作方法であって、
該記憶装置（１）は、所定の通信ネットワーク（１６）を経由して電子装置（１７）に通信可能に接続され、専用通信網（１８）を提供し、そして処理モジュール（１５）と分類記憶領域（１３１）とを備えており、
該操作方法は、前記処理モジュール（１５）によって実行され、
該操作方法は、
前記所定の通信ネットワーク（１６）を経由した前記電子装置（１７）からの入力パスワードデータの受信に応じて、該入力パスワードデータに基づいたユーザ入力パスワードを取得することと、
該ユーザ入力パスワードが前記記憶装置（１）に予め記憶されているアクセスパスワードとは一致するか否かを判定することと、
該ユーザ入力パスワードが前記アクセスパスワードと一致すると判定した際には、検証コードを生成し、前記専用通信網（１８）を経由して前記記憶装置（１）にアクセスするために該記憶装置（１）に予め記憶されているログイン情報にアクセスし、そして前記所定の通信ネットワーク（１６）を経由して、前記検証コード及び前記ログイン情報を前記電子装置（１７）に送信することで、前記電子装置（１７）が、前記ログイン情報に基づいて、前記専用通信網（１８）を経由して前記記憶装置（１）と通信可能に接続することと、
前記専用通信網（１８）を介した前記電子装置（１７）からのアクセスコードの受信に応じて、該アクセスコードが前記検証コードと一致するか否かを判定することと、
前記アクセスコードが前記検証コードと一致すると判定した際には、前記電子装置（１７）の前記専用通信網（１８）を経由した前記分類記憶領域（１３１）へのアクセスを許可することと、
を含む、記憶装置（１）の操作方法。
【請求項１０】
前記操作方法は、
前記所定の通信ネットワーク（１６）を経由して、前記分類記憶領域（１３１）にアクセスするために前記電子装置（１７）からアクセスリクエストを受信すると、仮想キーボードデータを生成し、そして前記所定の通信ネットワーク（１６）を経由して該仮想キーボードデータを前記電子装置（１７）に送信し、前記電子装置（１７）における仮想キーボードの表示を可能にすることと、
前記入力パスワードデータに含まれている位置データに基づいて前記ユーザ入力パスワードを取得することと、
を更に含み、
前記仮想キーボードは、互いに異なる位置に配置されていると共に、複数の文字にそれぞれ対応する複数の仮想キーを具えており、
前記位置データは、前記ユーザ入力パスワードを構成する前記文字に対応する一部の前記仮想キーの位置に関している、請求項９に記載の操作方法。
【請求項１１】
前記所定の通信ネットワーク（１６）は、ブルートゥース送信技術を使用する短距離の無線ネットワークであり、前記専用通信網（１８）は、Ｗｉ−Ｆｉ送信技術を使用する無線のローカルエリアネットワークである、請求項９または請求項１０に記載の操作方法。
【請求項１２】
前記ログイン情報は、サービスセット識別子（ＳＳＩＤ）と、前記記憶装置（１）にアクセスするためのログインパスワードとを含む、請求項９〜請求項１１のいずれか一項に記載の操作方法。
【請求項１３】
前記検証コードは、ワンタイムパスワード（ＯＴＰ）である、請求項９〜請求項１２のいずれか一項に記載の記操作方法。
【請求項１４】
前記記憶装置（１）は、前記処理モジュール（１５）に電気的に接続される入力モジュール（１４）を更に備えており、
前記操作方法は、
ユーザ操作に応じてトリガー信号を前記入力モジュール（１４）によって前記処理モジュール（１５）へ出力することと、
前記処理モジュール（１５）により、前記トリガー信号の受信時に前記ユーザ入力パスワードが前記アクセスパスワードと一致するか否かを判定することと、
を更に含む、請求項９〜請求項１３のいずれか一項に記載の操作方法。
【請求項１５】
前記記憶装置（１）が最初に起動される際には、前記分類記憶領域（１３１）へのアクセスを禁止することを更に含む、請求項９〜請求項１４のいずれか一項に記載の操作方法。
【請求項１６】
前記分類記憶領域（１３１）が所定の期間にわたってアクセスされていないと判定した際には、前記分類記憶領域（１３１）へのアクセスを禁止することを更に含む、請求項９〜請求項１５のいずれか一項に記載の操作方法。
【発明の詳細な説明】
【技術分野】
【０００１】
本発明は、記憶装置及び該記憶装置の操作方法に関し、特には記憶装置への不正アクセスを禁止するための記憶装置及び操作方法に関する。
【背景技術】
【０００２】
ハードディスクに記憶されているデータは、そのハードディスクが紛失し、盗まれ、破棄され、或いはハッキングされることで漏れることがあり、更にハードディスクが他人により修理された場合には、データが悪意で盗まれる可能性もある。従来のデータ漏れを防ぐ手段の一つは、ディスク暗号化のソフトウェアを使用するハードディスクにおいてディスク暗号化を行うことで、ユーザが該ハードディスクに記憶されているデータを暗号化、または解読するためのパスワードを設定できる。これによれば、ハードディスクは、パスワードを持つユーザのみがアクセスすることができる。しかしながら、ハッカーは、例えば  ハードディスクにマルウェアを植え込むことでそのパスワードを取得し、該ハードディスクに記憶されているデータにアクセスすることがある。台湾特許第Ｉ３７２３４０号に開示されている他の従来の記憶システムは、記憶ユニットと、コネクタと、コントローラとを備えている。前記記憶ユニットには、個人識別番号（ＰＩＮ）メッセージ及び暗号文が予め記憶されている。前記コントローラは、前記コネクタを介して該記憶システムに接続されているホストにパスワードのリクエストを送信し、一方向性ハッシュ関数によって、前記ホストから受信した該パスワードに基づいたメッセージを生成する。前記コントローラは、そうして生成された前記メッセージが前記ＰＩＮメッセージと同じか否かを判定する。肯定の場合、前記コントローラは、第１の暗号化／解読関数によって、前記パスワードに基づいた前記暗号文を解読して、通信キーを取得する。それから前記コントローラは、第２の暗号化／解読関数によって、前記通信キーを使用して前記記憶ユニットに記憶されているデータを暗号化、または解読することができる。
【先行技術文献】
【特許文献】
【０００３】
【特許文献１】台湾特許第Ｉ３７２３４０号
【発明の概要】
【発明が解決しようとする課題】
【０００４】
そこで、本発明の目的は、データ漏れを防ぐための記憶装置及び操作方法を提供することにある。
【課題を解決するための手段】
【０００５】
本発明の１つの態様によれば、記憶装置が提供される。該記憶装置は、第１の通信モジュールと、第２の通信モジュールと、記憶モジュールと、処理モジュールとを備えている。前記第１の通信モジュールは、所定の通信ネットワークを経由して電子装置に通信可能に接続されるよう構成されている。前記第２の通信モジュールは、専用通信網を提供するよう構成されている。前記記憶モジュールは、アクセスパスワード、及び前記専用通信網を経由して前記第２の通信モジュールにアクセスするためのログイン情報を記憶している。前記記憶モジュールは、分類記憶領域を具えている。前記処理モジュールは、前記第１の通信モジュールと前記第２の通信モジュール及び前記記憶モジュールとに電気的に接続されている。
【０００６】
前記処理モジュールは、以下のようにプログラムされている：
前記所定の通信ネットワークを経由し前記第１の通信モジュールを介する前記電子装置からの入力パスワードデータの受信に応じて、該入力パスワードデータに基づいたユーザ入力パスワードを取得し、そして該ユーザ入力パスワードが前記アクセスパスワードと一致するか否かを判定することと、
該ユーザ入力パスワードが前記アクセスパスワードと一致すると判定した際には、検証コードを生成し、前記記憶モジュールに記憶されている前記ログイン情報にアクセスし、そして前記第１の通信モジュールを制御して、前記所定の通信ネットワークを経由し該第１の通信モジュールを介して、該検証コード及び前記ログイン情報を前記電子装置に送信することで、前記電子装置が、前記ログイン情報に基づいて、前記専用通信網を経由して前記第２の通信モジュールと通信可能に接続することと、
前記専用通信網を経由し前記第２の通信モジュールを介した前記電子装置からのアクセスコードの受信に応じて、該アクセスコードが前記検証コードとは一致するか否かを判定することと、
該アクセスコードが前記検証コードと一致すると判定した際には、前記電子装置が、前記専用通信網を経由し前記第２の通信モジュールを介して、前記記憶モジュールの前記分類記憶領域にアクセスさせることを許可すること。
【０００７】
本発明の他の１つの態様によれば、記憶装置の操作方法が提供される。該記憶装置は、所定の通信ネットワークを経由して電子装置に通信可能に接続され、専用通信網を提供し、そして処理モジュールと分類記憶領域（１３１）とを備えている。該操作方法は、前記処理モジュールによって実行されるものであり、そして以下を備えている：
前記所定の通信ネットワークを経由して前記電子装置からの入力パスワードデータの受信に応じて、該入力パスワードデータに基づいたユーザ入力パスワードを取得することと、
そして該ユーザ入力パスワードが前記記憶装置に予め記憶されているアクセスパスワードとは一致するか否かを判定することと、
該ユーザ入力パスワードが前記アクセスパスワードと一致すると判定した際には、検証コードを生成し、前記専用通信網を経由して前記記憶装置にアクセスするためのログイン情報にアクセスし、そして前記所定の通信ネットワークを経由して、前記検証コード及び前記ログイン情報を前記電子装置に送信することで、前記電子装置が、前記ログイン情報に基づいて、前記専用通信網を経由して前記記憶装置と通信可能に接続することと、
前記専用通信網を経由して前記電子装置からのアクセスコードの受信に応じて、該アクセスコードが前記検証コードと一致するか否かを判定することと、
前記アクセスコードが前記検証コードとは一致すると判定した際には、前記電子装置の前記専用通信網を経由して前記分類記憶領域へのアクセスを許可することとを含む。
【０００８】
本発明の他の特徴および利点は、添付の図面を参照する以下の実施形態の詳細な説明において明白になるであろう。
【図面の簡単な説明】
【０００９】
【図１】本発明の1つの実施形態に係る記憶装置が電子装置と通信する状態を示す概略ブロック図である。
【図２】本発明の１つの実施形態に係る記憶装置の操作方法を示すフローチャートである。
【発明を実施するための形態】
【００１０】
図１を参照すると、本発明の1つの実施形態に係る記憶装置１は、第１の通信モジュール１１と、第２の通信モジュール１２と、記憶モジュール１３と、入力モジュール１４と、処理モジュール１５とを備えている。記憶装置１は、例えば、サーバ、ハードディスク、またはＵＳＢフラッシュドライブなどである。
【００１１】
第１の通信モジュール１１は、所定の通信ネットワーク１６を経由して電子装置１７に通信可能に接続されるよう構成されている。本実施形態において、第１の通信モジュール１１は、ブルートゥース通信モジュールであり、そして所定の通信ネットワーク１６は、ブルートゥース送信技術を使用する短距離の無線ネットワークである。
【００１２】
第２の通信モジュール１２は、専用通信網１８を提供するよう構成されている。本実施形態において、第２の通信モジュール１２は、Ｗｉ−Ｆｉ通信モジュールであり（例えばアクセスポイント、またはＷｉ−Ｆｉルーター）、そして専用通信網１８は、短距離の無線ネットワークであって、例えばＷｉ−Ｆｉ送信技術を使用する無線のローカルエリアネットワークである。電子装置１７は、例えば、スマートフォン、タブレット、ノートパソコン、またはブルートゥースドングル及びＷｉ−Ｆｉアダプタ付きのデスクトップパソコンである。
【００１３】
記憶モジュール１３は、アクセスパスワード、及びログイン情報を記憶し、そして分類記憶領域１３１を具えている。前記ログイン情報は、専用通信網１８を経由して、第２の通信モジュール１２にアクセスするためにある。本実施形態において、前記ログイン情報は、専用通信網１８を識別するサービスセット識別子（ＳＳＩＤ）と、ログインパスワードとを含む。記憶モジュール１３としては、例えば、リードオンリーメモリ（ＲＯＭ）、ランダムアクセスメモリ（ＲＡＭ）、磁気ディスク記憶メディア、光学記憶メディア、フラッシュメモリ、ソリッドステートデバイス（ＳＳＤ）、または他の記憶装置及びメディアなどの任意の持続性メモリー機構を使用することができる。
【００１４】
入力モジュール１４は、処理モジュール１５に電気的に接続されると共に、ユーザ操作に応じてトリガー信号を該処理モジュール１５に出力するよう構成されている。入力モジュール１４としては、例えば記憶装置１にマウントされるボタンであって、電子装置１７を使用して分類記憶領域１３１にアクセスしたい該電子装置１７のユーザに押されることで、前記トリガー信号を出力するボタンが使用される。
【００１５】
処理モジュール１５は、第１の通信モジュール１１と第２の通信モジュール１２及び記憶モジュール１３とに電気的に接続されている。処理モジュール１５は、分類記憶領域１３１へのアクセスを許可、または禁止するようにプログラムされている。具体的に、処理モジュール１５は、記憶装置１が最初に起動される際には、分類記憶領域１３１へのアクセスを禁止する。ここで、“処理モジュール”という用語は、レジスタ及びメモリの両方またはいずれか１つからの電子データを処理して、該電子データを別の電子データに変換する任意の装置または装置の一部を指すものである。処理モジュール１５としては、例えば、シングルコアプロセッサ、マルチコアプロセッサ、デュアルコアモバイルプロセッサ、マイクロプロセッサ、マイクロコントローラ、デジタル信号プロセッサ（ＤＳＰ）、フィールドプログラマブルゲートアレイ（ＦＰＧＡ）、特定用途向け集積回路（ＡＳＩＣ）、無線周波数集積回路（ＲＦＩＣ）などが使用されているが、その限りではない。なお、本実施形態において、記憶装置１は、電子装置１７が分類記憶領域１３１にアクセスするために介するユニバーサルシリアルバス（ＵＳＢ）（図示せず）を更に備えていることに留意されたい。処理モジュール１５が如何にして分類記憶領域１３１へのアクセスを許可するかの詳細は、以下で説明する。
【００１６】
本発明の１つの実施形態に係る記憶装置１の操作方法は、更に図２に示されるように提供される。ステップＳ２０１において、電子装置１７から分類記憶領域１３１へのアクセスを要求するアクセスリクエストを受信すると、処理モジュール１５は、仮想キーボードデータを生成し、そして該仮想キーボードデータを所定の通信ネットワーク１６を経由し第１の通信モジュール１１を介して電子装置１７に送信する。具体的に、処理モジュール１５は、電子装置１７から所定の通信ネットワーク１６を経由し該第１の通信モジュール１１を介して、前記アクセスリクエストを受信する。
【００１７】
前記仮想キーボードデータの受信に応じて、電子装置１７は、互いに異なる位置に配置されていると共に複数の文字にそれぞれ対応する複数の仮想キーを具えている仮想キーボードを表示でき、そして該仮想キーボードにおけるユーザ操作に応じて入力パスワードデータを生成する。該電子装置１７のユーザは、該仮想キーボードによってユーザ入力パスワードを入力することができる。前記入力バスワードデータは、前記ユーザ入力パスワードを構成する前記文字に対応する一部の前記仮想キーの位置に関する位置データを含む。所定の通信ネットワーク１６を経由し第１の通信モジュール１１を介して、電子装置１７からの前記入力パスワードデータを処理モジュール１５が受信すると、該方法の流れはステップＳ２０２に移る。ステップＳ２０２において、処理モジュール１５は、前記入力パスワードデータに含まれている前記位置データに基づいて前記ユーザ入力パスワードを取得する。処理モジュール１５は、例えば、ステップＳ２０１において前記仮想キーボードデータが生成されると共に、前記仮想キーボードの各前記仮想キーの前記位置と対応する１つの前記文字との間に対応を生成し、これにより前記ユーザ入力パスワードは、該対応を検索して、該ユーザにタッチされた前記仮想キー（或いはそれらの位置）にそれぞれ対応する前記文字を探すことで取得される。
ステップＳ２０３において、処理モジュール１５は、入力モジュール１４におけるユーザ操作に応じて該入力モジュール１４に出力された前記トリガー信号の受信時に、前記ユーザ入力パスワードが、記憶装置１の記憶モジュール１３に予め記憶されている前記アクセスパスワードと一致するか否かを判定する。肯定の場合、前記流れはステップＳ２０４に移り、さもなくば該方法は終了される（もしくはステップＳ２０１に戻る）。即ち、処理モジュール１５は、前記トリガー信号を受信した場合にのみ、前記ユーザ入力パスワードが前記アクセスパスワードと一致するか否かを判定する。
【００１８】
ステップＳ２０４において、処理モジュール１５は、検証コードを生成して記憶モジュール１３に記憶されている前記ログイン情報にアクセスし、そして第１の通信モジュール１１を制御して、所定の通信ネットワーク１６を経由し、該検証コード及び前記ログイン情報を電子装置１７に送信する。これで、電子装置１７は、第１の通信モジュール１１から受信した前記ログイン情報に基づいて、専用通信網１８を経由して第２の通信モジュール１２と通信可能に接続することができる。前記検証コードの受信に応じて、電子装置１７は該検証コードを表示し、そして該電子装置１７のユーザは、該電子装置１７に表示される該検証コードを参照してアクセスコードを入力でき、すると該電信装置１７は専用通信網１８を介して該アクセスコードを記憶装置１に送信する。一部の実施形態において、前記アクセスコードは、前記検証コードに基づいて、電子装置１７によって生成されることもできる。前記検証コードは、例えばワンタイムパスワード（ＯＴＰ）であるが、本発明はそれに制限されることはない。
【００１９】
ステップＳ２０５において、処理モジュール１５は、専用通信網１８を経由し第２の通信モジュール１２を介して、電子装置１７から受信した前記アクセスコードが、前記検証コードと一致するか否かを判定する。ステップＳ２０５における前記判定が肯定であった際には、該方法の流れはステップＳ２０６に移り、さもなくば該方法は終了される（もしくは代わりに、ステップＳ２０１に戻る）。
【００２０】
ステップＳ２０６において、処理モジュール１５は、電子装置１７が、専用通信網１８を経由し第２の通信モジュール１２を介して、記憶モジュール１３の分類記憶領域１３１にアクセスすることを許可する。ステップＳ２０６において、電子装置１７を分類記憶領域１３１にアクセスさせる際に、処理モジュール１５は更に、分類記憶領域１３１が所定の期間（例えば５分）にわたってアクセスされていないかどうかを判定し、そして分類記憶領域１３１が該所定の期間にわたってアクセスされていないと判定した場合には、分類記憶領域１３１へのアクセスを禁止することに留意されたい。
【００２１】
総括すると、処理モジュール１５は、入力モジュール１４における前記ユーザ操作に応じて、電子装置１７から取得した前記ユーザ入力パスワードが記憶装置１に予め記憶されている前記アクセスパスワードと一致し、そして前記アクセスコードが前記検証コードと一致すると判定する際には、分類記憶領域１３１へのアクセスを許可するようプログラムされている。
【００２２】
そのため、悪質なユーザ／ハッカーにとっては、分類記憶領域１３１に記憶されているデータにアクセスすることは比較的に困難である。更に、例えハッカーが、処理モジュール１５により電子装置１７から受信する前記入力パスワードデータをハイジャックしたとしても、前記仮想キーボードの前記仮想キーの前記位置及び前記文字との間の前記対応は前記ユーザ入力データに含まれていないので、ハッカーにとって、前記ユーザ入力データを取得することは比較的に困難である。なお、所定の通信ネットワーク１６と専用通信網１８は両方、短距離の無線ネットワークであるため、記憶装置１から遠く離れたハッカーは、所定の通信ネットワーク１６または専用通信網１８との接続によって、記憶モジュール１３の分類記憶領域１３１に記憶されているデータにアクセスすることはできない。即ち、電子装置１７と記憶装置１は、所定の通信ネットワーク１６と専用通信網１８両方の範囲内のエリアに設置されるべきで、そしてそれによって記憶装置１３への不正アクセスを禁止することができる。
【００２３】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【図１】
2018181349.tif 000003
【図２】
2018181349.tif 000004
【外国語明細書】
2018181349000001.pdf